(57)【要約】  無線通信システムにおいて移動端末から上りリンクで基地局に参照信号（ＳＲＳ）を送信する際のスケジューリングを行う参照信号送信スケジューリング装置であって、移動端末の置かれた状況を考慮して適切にＳＲＳ送信リソースを移動端末に割り当てる。ここで、移動端末の最大送信可能電力に基づいてＳＲＳ帯域幅の最大値を求めるとともに、移動端末の移動速度に基づいてＳＲＳ帯域幅の最小値を求める。また、ＳＲＳ帯域幅の最大値及び最小値の範囲内で、ＳＲＳ送信リソース割当対象の移動端末が実際に使用するＳＲＳ帯域幅を決定する。
2010146824.tif 000002
【特許請求の範囲】
【請求項１】
無線通信システムにおいて、移動端末から上りリンクで基地局に参照信号（ＳＲＳ）を送信する際のスケジューリングを行う参照信号送信スケジューリング装置であって、
移動端末の最大送信可能電力に基づいてＳＲＳ帯域幅の最大値を求める最大ＳＲＳ帯域幅判定部と、
移動端末の移動速度に基づいてＳＲＳ帯域幅の最小値を求める最小ＳＲＳ帯域幅判定部と、
ＳＲＳ帯域幅の最大値及び最小値の範囲内で、ＳＲＳ送信リソース割当対象の移動端末が実際に使用するＳＲＳ帯域幅を決定するＳＲＳ送信リソース割当部を具備した参照信号送信スケジューリング装置。
【請求項２】
前記ＳＲＳ送信リソース割当部は、ＳＲＳ送信リソース割当対象の移動端末についてＳＲＳ帯域幅の最大値及び最小値で範囲が確定される場合においてのみ前記移動端末にＳＲＳ送信リソースを割り当てるようにした請求項１記載の参照信号送信スケジューリング装置。
【請求項３】
ＳＲＳ帯域幅の最大値が最小値以下となった場合、当該ＳＲＳ帯域幅の最大値を用いて前記移動端末にＳＲＳ送信リソースを割り当てるようにした請求項１記載の参照信号スケジューリング装置。
【請求項４】
前記ＳＲＳ送信リソース割当部は、ＳＲＳ帯域幅の最大値及び最小値で確定される範囲内で昇順又は降順にＳＲＳ帯域幅を選択するようにした請求項１記載の参照信号送信スケジューリング装置。
【請求項５】
前記ＳＲＳ送信リソース割当手段は、ＳＲＳ帯域幅の最大値及び最小値で確定される範囲内において使用可能なＳＲＳ送信リソースの中から、同一ＳＲＳ送信リソースの残余が最小又は最大となるよう所望のＳＲＳ送信リソースを選択するようにした請求項１記載の参照信号送信スケジューリング装置。
【請求項６】
ＳＲＳ送信間隔とＳＲＳ帯域幅の組に対する許容移動速度を判定するための許容移動速度判定テーブルを更に具備した請求項１記載の参照信号送信スケジューリング装置。
【請求項７】
移動速度が所定の移動速度閾値以下である移動端末の数に基づいてＳＲＳ送信間隔を判定するＳＲＳ送信間隔判定部を更に具備した請求項１記載の参照信号送信スケジューリング装置。
【請求項８】
前記ＳＲＳ送信間隔判定部は、移動速度が所定の移動速度閾値以下の移動端末の数及び割合に基づいてＳＲＳ送信間隔を判定するようにした請求項６記載の参照信号送信スケジューリング装置。
【請求項９】
無線通信システムにおいて、移動端末から上りリンクで基地局に参照信号（ＳＲＳ）を送信する際のスケジューリングを行う参照信号送信スケジューリング方法であって、
移動端末の最大送信可能電力に基づいてＳＲＳ帯域幅の最大値を求め、
移動端末の移動速度に基づいてＳＲＳ帯域幅の最小値を求め、
ＳＲＳ帯域幅の最大値及び最小値の範囲内で、ＳＲＳ送信リソース割当対象の移動端末が実際に使用するＳＲＳ帯域幅を決定するようにした参照信号送信スケジューリング方法。
【請求項１０】
無線通信システムにおいて、移動端末から上りリンクで基地局に参照信号（ＳＲＳ）を送信する際のスケジューリングを行う参照信号送信スケジューリング処理を実行するコンピュータプログラムであって、
移動端末の最大送信可能電力に基づいてＳＲＳ帯域幅の最大値を求め、
移動端末の移動速度に基づいてＳＲＳ帯域幅の最小値を求め、
ＳＲＳ帯域幅の最大値及び最小値の範囲内で、ＳＲＳ送信リソース割当対象の移動端末が実際に使用するＳＲＳ帯域幅を決定するようにしたコンピュータプログラム。
【発明の詳細な説明】
【技術分野】
【０００１】
本発明は、無線通信システムにおいて複数の移動端末の通信を司る無線基地局に適用されるものであり、所定のスケジューリングに従って参照信号送信に使用する無線リソースを移動端末に割り当てる参照信号送信スケジューリング装置及び参照信号送信スケジューリング方法に関する。
本願は、２００９年６月１９日に、日本国に出願された特願２００９−１４６９２５号に基づき優先権を主張し、その内容をここに援用する。
【背景技術】
【０００２】
近年、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２（３ｒｄ  Ｇｅｎｅｒａｔｉｏｎ  Ｐａｒｔｎｅｒｓｈｉｐ  ２）及びＩＥＥＥ８０２．１６などの標準化団体により新しい無線通信システムの標準規格が検討されている。例えば、第３世代（３ｒｄ  Ｇｅｎｅｒａｔｉｏｎ）セルラシステムの後継システムとしてＬＴＥ（Ｌｏｎｇ  Ｔｅｒｍ  Ｅｖｏｌｕｔｉｏｎ：正式名称「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）」）やＵＭＢ（Ｕｌｔｒａ  Ｍｏｂｉｌｅ  Ｂｒｏａｄｂａｎｄ）などの次世代セルラシステム（或いは、３．９Ｇセルラシステム）が検討されている。更に、３．９Ｇセルラシステムの進化系であるＩＭＴ−Ａｄｖａｎｃｅｄシステム（或いは、４Ｇセルラシステム）も検討されている。【０００３】
上記の無線通信システムには、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）方式を採用するものがある。例えば、ＬＴＥ、ＵＭＢ及びＷｉＭａｘ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）はＯＦＤＭＡ方式を採用している。更に、現在４Ｇセルラシステム向けに検討されているＬＴＥ−ＡｄｖａｎｃｅｄやＩＥＥＥ８０２．１６ｍもＯＦＤＭＡ方式を採用している。【０００４】
ＯＦＤＭＡ方式を採用する無線通信システム（以下、「ＯＦＤＭＡシステム」と称する）では、利用可能な周波数帯域内の複数のサブキャリアを移動端末に割り当てることができ、また、その割当内容を時間とともに変更することができる。従って、ＯＦＤＭＡシステムでは周波数成分と時間成分よりなる二次元的な無線リソースを移動端末に対して柔軟に割り当てることができる。【０００５】
周波数選択性フェージング環境下では、移動端末によって品質のよい周波数リソースが異なるため、周波数スケジューリングによって移動端末毎に品質のよい周波数リソースを割り当てる。この周波数スケジューリングにより、移動端末のスループットが改善し、以って、ＯＦＤＭＡシステム全体のスループット向上が期待される。【０００６】
周波数スケジューリングでは、利用可能周波数帯域内の周波数リソースの品質に基づいて移動端末に割り当てる周波数リソースを決定する。一般的に、周波数リソースの品質を確保するためには、その周波数リソースに含まれる参照信号を用いる。下りリンク（即ち、無線基地局から移動端末への方向の通信リンク）では、無線基地局で利用可能な周波数帯域内の全ての周波数リソースを用いて参照信号を送信することができるので、移動端末が全ての周波数リソースに含まれる参照信号を復調することにより、利用可能周波数帯域内の全ての周波数リソースについて品質を確認することができる。【０００７】
一方、上りリンク（即ち、移動端末から無線基地局への方向の通信リンク）では、例えば、非特許文献１で規定するサウンディング・リファレンス信号（Ｓｏｕｎｄｉｎｇ  Ｒｅｆｅｒｅｎｃｅ  Ｓｉｇｎａｌ：ＳＲＳ）と呼ばれる参照信号を利用することができる。このＳＲＳは、利用可能周波数帯域の全域に亘って送信することが可能であるため、上りリンクの周波数特性（即ち、周波数リソース毎の品質）を確認することができる。また、非特許文献２は移動端末数を一定と仮定し、移動端末毎にＳＲＳ送信に使用する無線リソースを固定する技術を開示している。
【先行技術文献】
【非特許文献】
【０００８】
【非特許文献１】３ＧＰＰ  ＴＳ  ３６．２１１、“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；Ｐｈｙｓｉｃａｌ  Ｃｈａｎｎｅｌｓ  ａｎｄ  Ｍｏｄｕｌａｔｉｏｎ  （Ｒｅｌｅａｓｅ  ８）”
【非特許文献２】沖野健太、草野吉雅、「Ｅ−ＵＴＲＡアップリンクにおけるチャンネル推定誤差を考慮したＳＲＳパラメータ設定の検討」、信学技報、Ｖｏｌ．１０８、Ｎｏ．４４５、ＲＣＳ２００８−２４５、ｐｐ．１９７−２０２、２００９年３月
【発明の概要】
【発明が解決しようとする課題】
【０００９】
上記の従来技術では、移動端末の置かれた状況を考慮せず、ＳＲＳ送信に使用する無線リソースを固定的に移動端末に割り当てていた。このため、移動端末の通信環境の変化に追従してＳＲＳ送信に使用する無線リソースを適切に移動端末に割り当てることができなかった。
【課題を解決するための手段】
【００１０】
本発明は、上記の事情を鑑みてなされたものであり、無線通信システムにおいて移動端末の置かれた状況を考慮してＳＲＳ送信に使用する無線リソースを適切に割り当てることを可能とする参照信号送信スケジューリング装置及び参照信号送信スケジューリング方法を提供することを目的とする。【００１１】
本発明は、無線通信システムにおいて移動端末から上りリンクで基地局に参照信号（ＳＲＳ）を送信する際のスケジューリングを行う参照信号送信スケジューリング装置に関するものである。この参照信号送信スケジューリング装置は、移動端末の最大送信可能電力に基づいてＳＲＳ帯域幅の最大値を求める最大ＳＲＳ帯域幅判定部、移動端末の移動速度に基づいてＳＲＳ帯域幅の最小値を求める最小ＳＲＳ帯域幅判定部、及びＳＲＳ帯域幅の最大値及び最小値の範囲内でＳＲＳ送信リソース割当対象の移動端末が実際に使用するＳＲＳ帯域幅を決定するＳＲＳ送信リソース割当部を具備する。【００１２】
前記ＳＲＳ送信リソース割当部は、ＳＲＳ送信リソース割当対象の移動端末についてＳＲＳ帯域幅の最大値及び最小値で範囲が確定される場合においてのみ前記移動端末にＳＲＳ送信リソースを割り当てる。また、前記ＳＲＳ送信リソース割当部はＳＲＳ帯域幅の最大値及び最小値で確定される範囲内で昇順にＳＲＳ帯域幅を選択する。更に、前記ＳＲＳ送信リソース割当手段はＳＲＳ帯域幅の最大値及び最小値で確定される範囲内において使用可能なＳＲＳ送信リソースの中から、同一ＳＲＳ送信リソースの残余が最小となるよう所望のＳＲＳ送信リソースを選択する。【００１３】
参照信号送信スケジューリング装置は、ＳＲＳ送信間隔とＳＲＳ帯域幅の組に対する許容移動速度を判定するための許容移動速度判定テーブルを更に具備する。【００１４】
また、参照信号送信スケジューリング装置は移動速度が所定の移動速度閾値以下である移動端末の数に基づいてＳＲＳ送信間隔を判定するＳＲＳ送信間隔判定部を更に具備する。このＳＲＳ送信間隔判定部は、移動速度が所定の移動速度閾値以下の移動端末の数及び割合に基づいてＳＲＳ送信間隔を判定するようにしてもよい。【００１５】
本発明は、無線通信システムにおいて移動端末から上りリンクで基地局に参照信号（ＳＲＳ）を送信する際のスケジューリングを行う参照信号送信スケジューリング方法に関するものである。この参照信号送信スケジューリング方法では、移動端末の最大送信可能電力に基づいてＳＲＳ帯域幅の最大値を求め、移動端末の移動速度に基づいてＳＲＳ帯域幅の最小値を求め、ＳＲＳ帯域幅の最大値及び最小値の範囲内でＳＲＳ送信リソース割当対象の移動端末が実際に使用するＳＲＳ帯域幅を決定する手順を実施するものである。【００１６】
また、上記の参照信号送信スケジューリング方法を実現するコンピュータプログラムを作成するようにしてもよい。
【発明の効果】
【００１７】
本発明により、無線通信システムにおいて移動体通信の置かれた状況を考慮してＳＲＳ送信リソースを適切に移動端末に割り当てることができる。また、未使用のＳＲＳ送信リソースを出来るだけ残すことにより、無線リソースの有効利用を図ることができる。更に、移動端末の状況を考慮してＳＲＳ送信間隔を自動的に調整することにより、基地局のオペレータの負担を軽減することができる。
【図面の簡単な説明】
【００１８】
【図１】本発明の好適な実施例に係るＯＦＤＭＡシステムの全体構成を示すブロック図である。
【図２】ＯＦＤＭＡシステムにおいて上りリンク通信に使用する無線リソースの一部を示す図である。
【図３】図１に示す基地局内のＳＲＳ送信スケジューリング部の構成を示すブロック図である。
【図４】図３に示す許容移動速度判定テーブルの構成の一例を示す図である。
【図５】図３に示すＳＲＳ送信スケジューリングテーブルの構成の一例を示す図である。
【図６】図５に示すＳＲＳ送信スケジューリングテーブルに含まれる部分テーブルＴＢＬ（ｉ＿ＳＲＳ，ｋ＿ｃ）の構成の一例を示す図である。
【図７】ＳＲＳ帯域幅Ｍ＿ＳＲＳ毎に設定されるＳＲＳ帯域オフセット番号（ｊ＿ＳＲＳ）を示す図である。
【図８】ＳＲＳ送信スケジューリング処理を示すフローチャートである。
【図９】ＳＲＳ送信スケジューリング処理を示すフローチャートである。
【図１０】ＳＲＳ送信スケジューリング処理を示すフローチャートである。
【図１１】図３に示すＳＲＳ送信スケジューリング部の変形例を示すブロック図である。
【図１２】図１１に示すＳＲＳ送信間隔判定部により実行されるＳＲＳ送信間隔判定処理を示すフローチャートである。
【図１３】図１２に示すＳＲＳ送信間隔判定処理の変形例を示すフローチャートである。
【発明を実施するための形態】
【００１９】
図１は、本発明の好適な実施例に係るＯＦＤＭＡシステムの全体構成を示すブロック図である。基地局１は、ＳＲＳ送信スケジューリング部２とＳＲＳ送信リソース通知部３を具備する。また、複数の移動端末４は基地局１を経由して無線通信を行っている。ＳＲＳ送信スケジューリング部２は、移動端末４が上りリンクでＳＲＳ送信を行なうときに使用する無線リソースの割り当てを行なう。ＳＲＳ送信リソース通知部３は、ＳＲＳ送信に使用する無線リソース（以下、「ＳＲＳ送信リソース」と称する）を移動端末４に通知する。
【００２０】
図２は、ＯＦＤＭＡシステムの上りリンク通信に使用する無線リソースの一部を示す。ここで、時間方向には１つのＳＲＳ送信分を示し、周波数方向にはＯＦＤＭＡシステムの利用可能周波数帯域（以下、「ＯＦＤＭＡ周波数帯域」と称する）を示す。１つのＳＲＳ送信分の無線リソースには、一定の周波数帯域（サブキャリア数：Ｎ＿ＳＣ個）と一定の時間長（ＯＦＤＭＡシンボル数：Ｎ＿ＯＦＤＭ個）よりなるリソースブロック（ＲＢ）が周波数方向にＮ＿ＲＢ個連結されている。Ｎ＿ＲＢ個のリソースブロック（ＲＢ）の全周波数帯域はＯＦＤＭＡ周波数帯域に相当する。ＳＲＳ送信対象のリソースブロック（ＲＢ）において、サウンディング・リファレンス信号（ＳＲＳ）は各リソースブロック（ＲＢ）の時間方向に最後のＯＦＤＭＡシンボルで送信される。
【００２１】
本実施例に係るＳＲＳ送信リソースについて説明する。ＳＲＳ送信リソースは、ＳＲＳ帯域幅、ＳＲＳ送信間隔、ＳＲＳ帯域オフセット、ＳＲＳ送信タイミングオフセット、サイクリックシフト（Ｃｙｃｌｉｃ  Ｓｈｉｆｔ）及びトランスミッションカム（Ｔｒａｎｓｍｉｓｓｉｏｎ  Ｃｏｍｂ）より構成される。
【００２２】
ＳＲＳ帯域幅は、１つのサウンディング・リファレンス信号（ＳＲＳ）が有する周波数帯域幅であり、リソースブロック（ＲＢ）単位で表される。本実施例では、ＯＦＤＭＡ周波数帯域を１０ＭＨｚ（即ち、４８ＲＢ）としており、ＳＲＳ帯域幅の候補として４ＲＢ、８ＲＢ、１２ＲＢ、１６ＲＢ、２４ＲＢ及び４８ＲＢの６種類が設定可能である。また、ＳＲＳ帯域幅の選択可能な候補の組み合わせに制限をかけることができる。例えば、ＳＲＳ帯域幅の選択可能な候補の組合せとして、「４ＲＢ、１２ＲＢ、２４ＲＢ、４８Ｒ」や「４ＲＢ、８ＲＢ、１６ＲＢ、４８ＲＢ」が挙げられる。尚、ＳＲＳ帯域幅の選択可能な候補の組合せは、オペレータから指定される。
【００２３】
ＳＲＳ送信間隔は、１台の移動端末４がＳＲＳ送信を行なう時間間隔を示す。本実施例では、ＳＲＳ送信間隔の単位（即ち、ＯＦＤＭＡシンボルのＮ＿ＯＦＤＭ個分の時間長）を１ミリ秒としており、ＳＲＳ送信間隔の候補として２ｍｓ、５ｍｓ、１０ｍｓ、２０ｍｓ、４０ｍｓ、８０ｍｓ、１６０ｍｓ及び３２０ｍｓの８種類が設定可能である。但し、実際のＳＲＳ送信間隔は１つに固定する必要がある。このため、ＳＲＳ送信間隔はオペレータから指定されるか、或いは、自動設定される。
【００２４】
ＳＲＳ帯域オフセットは、ＳＲＳ送信開始時刻におけるＳＲＳ帯域幅を指定するものであり、同一のＳＲＳ帯域幅を有する移動端末４に対して当該ＳＲＳ帯域幅の単位で設定される。ＳＲＳ帯域オフセットにより、同時にＳＲＳ送信を行なう移動端末４がＳＲＳ帯域をずらしてＳＲＳ送信を行なうことが可能となる。
【００２５】
ＳＲＳ送信タイミングオフセットは、ＳＲＳ送信開始時刻におけるＳＲＳの時間位置を指定する。本実施例では、ＳＲＳ送信タイミングオフセットとして０ｍｓから「ＳＲＳ送信間隔−１」（単位は、ミリ秒）を設定することができる。ＳＲＳ送信タイミングオフセットにより、同一のＳＲＳ帯域幅でＳＲＳ送信を行なう移動端末４がＳＲＳ送信時刻をずらしてＳＲＳ送信を行なうことが可能となる。
【００２６】
サウンディング・リファレンス信号（ＳＲＳ）は時間方向と周波数方向で一定の振幅を有しており、サイクリックシフトさせた符号系列が互いに直交するＺａｄｏｆｆ−Ｃｈｕ系列を利用する。本実施例では、セクタ当り２種類のサイクリックシフトを利用する。サイクリックシフトにより、同一のＳＲＳ送信時刻及び同一のＳＲＳ帯域幅でＳＲＳ送信を行なう移動端末４について電磁干渉を防止することができる。但し、ＳＲＳ帯域幅が異なる移動端末４ではサイクリックシフトによる電磁干渉防止効果を得ることができないので、トランスミッションカムを使用する必要がある。
【００２７】
トランスミッションカムは、ＳＲＳ送信で使用するサブキャリアを指定する。本実施例では、各移動端末４がＳＲＳ送信に使用するサブキャリアを１つおきに設定している。例えば、偶数番目のサブキャリアのみをしようしてＳＲＳ送信するか、或いは、奇数番目のサブキャリアのみを使用してＳＲＳ送信を行なう。即ち、２種類のトランスミッションカムが用意されており、一方は偶数番目のサブキャリアでＳＲＳ送信を行なわせ、他方は奇数番目のサブキャリアでＳＲＳ送信を行なわせる。トランスミッションカムにより、同一のＳＲＳ送信時刻及び同一のＳＲＳ帯域幅でＳＲＳ送信を行なう移動端末４における電磁干渉を防止することができる。このトランスミッションカムは、ＳＲＳ帯域幅が異なる移動端末４同士が同一のＳＲＳ送信時刻及び同一のＳＲＳ帯域幅でＳＲＳ送信する場合に優先的に利用される。
【００２８】
次に、本実施例に係るＳＲＳ送信スケジューリング部２の構成及び動作について詳細に説明する。
図３は、ＳＲＳ送信スケジューリング部２の構成を示すブロック図である。ＳＲＳ送信スケジューリング部２は、入力情報取得部１１、最小ＳＲＳ帯域幅判定部１２、最大ＳＲＳ帯域幅判定部１３、使用可能ＳＲＳ帯域幅判定部１４、ＳＲＳ送信リソース割当部１５、許容移動速度判定テーブル１００及びＳＲＳ送信スケジューリングテーブル２００を具備する。
【００２９】
入力情報取得部１１は、各種の入力情報を取得する。入力情報として、ＳＲＳ送信スケジューリング処理の開始契機、ＳＲＳ送信リソース割当対象の全ての移動端末４の端末番号、ＳＲＳ送信リソース割当対象の移動端末４に対するＳＲＳ送信リソース割当の優先順位、ＳＲＳ帯域幅の選択可能な候補の組合せ、ＳＲＳ送信間隔、移動端末４の最大送信可能電力及び移動端末４の移動速度などがある。
【００３０】
最小ＳＲＳ帯域幅判定部１２は、移動端末４の移動速度に基づいて最小ＳＲＳ帯域幅を求める。最大ＳＲＳ帯域幅判定部１３は、移動端末４の最大送信可能電力に基づいて最大ＳＲＳ帯域幅を求める。使用可能ＳＲＳ帯域幅判定部１４は、最小ＳＲＳ帯域幅判定部１２で求めた最小ＳＲＳ帯域幅と、最大ＳＲＳ帯域幅判定部１３で求めた最大ＳＲＳ帯域幅に基づいて、移動端末４のＳＲＳ帯域幅の範囲を定める。ＳＲＳ送信リソース割当部１５は、使用可能ＳＲＳ帯域幅判定部１４で定めたＳＲＳ帯域幅の範囲に基づいて移動端末４のＳＲＳ帯域幅を決定し、ＳＲＳ送信リソース割当を行なう。
【００３１】
許容移動速度判定テーブル１００は、ＳＲＳ送信間隔とＳＲＳ帯域幅の組に対する許容移動速度を判定するためのデータを格納する。図４は、許容移動速度判定テーブル１００の構成の一例を示す。許容移動速度判定テーブル１００は、ＳＲＳ送信間隔Ｔ＿ＳＲＳ（ミリ秒単位）とＳＲＳ帯域幅Ｍ＿ＳＲＳ（ＲＢ単位）の組毎に許容移動速度を記憶している。許容移動速度判定テーブル１００により、ＳＲＳ送信間隔とＳＲＳ帯域幅の組を適用可能な移動端末４の最大移動速度を判定することができる。例えば、「Ｔ＿ＳＲＳ＝２、Ｍ＿ＳＲＳ＝４」の組は移動速度「ｖ＿２４」までの移動端末４に適用可能となる。
【００３２】
本実施例では、ＳＲＳ送信間隔を固定としているので、許容移動速度判定テーブル１００を使用すれば、ある移動速度の移動端末４に対して適用可能な最小ＳＲＳ帯域幅を判定することができる。最小ＳＲＳ帯域幅判定部１２は、許容移動速度判定テーブル１００を参照して、ある移動速度の移動端末４に対して適用可能な最小ＳＲＳ帯域幅を判定する。
【００３３】
次に、許容移動速度判定テーブル１００の作成方法について説明する。
ＳＲＳ送信は、ＯＦＤＭＡ周波数帯域の全帯域に亘って周波数特性を取得することを目的としているため、その周波数特性を取得するのに要する時間（以下、「ＯＦＤＭＡ周波数特性取得時間」と称する）は移動端末４の移動速度に応じた制約が発生する。つまり、移動端末４の移動速度が速くなると、その分、移動端末４の無線環境の変化が激しくなるので、無線環境の変化に追従できるようにＯＦＤＭＡ周波数特性取得時間を短くする必要がある。このため、ＯＦＤＭＡ周波数特性取得時間は、コヒーレンス時間以内にする必要がある。尚、コヒーレンス時間は、移動端末４の移動速度で決まるドップラー周期よりも十分に小さい値とする。
【００３４】
また、ＳＲＳ帯域幅毎にＯＦＤＭＡ周波数帯域の全帯域に亘って周波数特性を取得するために要するＳＲＳ送信回数が決定される。例えば、ＳＲＳ帯域幅「Ｍ＿ＳＲＳ＝４」の場合、ＯＦＤＭＡ周波数帯域（４８ＲＢ分）の全帯域に亘って周波数特性を取得するためには、ＳＲＳ送信回数を「４８／４＝１２」とする必要がある。このＳＲＳ送信回数に必要な時間は、ＳＲＳ送信間隔毎に決まる。例えば、ＳＲＳ送信間隔「Ｔ＿ＳＲＳ＝２」及びＳＲＳ帯域幅「Ｍ＿ＳＲＳ＝４」の場合、初回のＳＲＳ送信時刻から最終のＳＲＳ送信時刻までに「２×１２−１＝２３（ｍｓ）」かかる。このようにして、ＳＲＳ送信間隔とＳＲＳ帯域幅の組毎に、ＯＦＤＭＡ周波数特性取得時間を決定することができる。
【００３５】
移動端末４の移動速度によるＯＦＤＭＡ周波数特性取得時間の制約と、ＳＲＳ送信間隔とＳＲＳ帯域幅の組によるＯＦＤＭＡ周波数特性取得時間の制約との関係に基づいて、ＳＲＳ送信間隔とＳＲＳ帯域幅の組に対する許容移動速度が決定される。
【００３６】
一般的に、ＳＲＳ送信リソースの割当時刻から実際のＳＲＳ送信時刻までの間に時間的ズレが生じる。この時間的ズレを加味して、ＯＦＤＭＡ周波数特性時間の制約を定めることが望ましい。
【００３７】
本実施例では、許容移動速度判定テーブル１００を事前に作成してＳＲＳ送信スケジューリング部２に具備するようにしたが、これに限定する必要はない。即ち、移動端末４の移動速度から適宜コヒーレンス時間を求めて、所定のＳＲＳ送信間隔についてＯＦＤＭＡ周波数特性取得時間が当該コヒーレンス時間内となるような最小ＳＲＳ帯域幅を求めるようにしてもよい。
【００３８】
図３において、ＳＲＳ送信スケジューリングテーブル２００は、ＳＲＳ送信リソースの割当結果を格納する。図５及び図６は、ＳＲＳ送信スケジューリングテーブル２００の構成の一例を示す。図５はＳＲＳ送信スケジューリングテーブル２００の全体構成を示し、図６はＳＲＳ送信スケジューリングテーブル２００に含まれる部分テーブルＴＢＬ（ｉ＿ＳＲＳ，ｋ＿ｃ）の構成を示す。
【００３９】
図５において、ＳＲＳ送信スケジューリングテーブル２００はＳＲＳ送信タイミングオフセット番号（ｉ＿ＳＲＳ）とトランスミッションカム番号（ｋ＿ｃ）の組毎に、部分テーブルＴＢＬ（ｉ＿ＳＲＳ，ｋ＿ｃ）とＳＲＳ帯域幅設定情報Ｗ＿ＳＲＳ（ｉ＿ＳＲＳ，ｋ＿ｃ）を格納する。
【００４０】
ＳＲＳ送信タイミングオフセット番号（ｉ＿ＳＲＳ）は、ＳＲＳ送信タイミングオフセットを識別する番号であり、本実施例では、ＳＲＳ送信タイミングオフセット（「０」から「ＳＲＳ送信間隔（Ｔ＿ＳＲＳ）−１」（ミリ秒単位））の各々に対応した、「０」から「Ｔ＿ＳＲＳ−１」までの数値で表現する。
【００４１】
トランスミッションカム番号（ｋ＿ｃ）は、トランスミッションカムの種類を識別する番号であり、本実施例では、偶数番目のサブキャリアでのＳＲＳ送信を示す「ｋ＿ｃ＝０」と、奇数番目のサブキャリアでのＳＲＳ送信を示す「ｋ＿ｃ＝１」としている。
【００４２】
ＳＲＳ帯域幅設定情報Ｗ＿ＳＲＳ（ｉ＿ＳＲＳ，ｋ＿ｃ）は、ＳＲＳ送信タイミングオフセット番号（ｉ＿ＳＲＳ）とトランスミッションカム番号（ｋ＿ｃ）の組（ｉ＿ＳＲＳ，ｋ＿ｃ）に対して設定されたＳＲＳ帯域幅を示す情報である。従って、ＳＲＳ送信タイミングオフセット番号とトランスミッションカム番号の組（ｉ＿ＳＲＳ，ｋ＿ｃ）に対応する部分テーブルＴＢＬ（ｉ＿ＳＲＳ，ｋ＿ｃ）は、そのＳＲＳ帯域幅設定情報Ｗ＿ＳＲＳ（ｉ＿ＳＲＳ，ｋ＿ｃ）で指定されるＳＲＳ帯域幅について使用される。
【００４３】
図６において、部分テーブルＴＢＬ（ｉ＿ＳＲＳ，ｋ＿ｃ）は、ＳＲＳ帯域オフセット番号（ｊ＿ＳＲＳ）とサイクリックシフト番号（ｋ＿ｓ）の組毎に割当端末番号２１０を格納する。
【００４４】
ＳＲＳ帯域オフセット番号（ｊ＿ＳＲＳ）は、ＳＲＳ帯域オフセットを識別する番号であり、本実施例では、同一のＳＲＳ帯域幅毎にＳＲＳ帯域幅単位で設定されるＳＲＳ帯域オフセットに対応した番号とする。図７は、ＳＲＳ帯域オフセット番号（ｊ＿ＳＲＳ）を示す。例えば、ＳＲＳ帯域幅「Ｍ＿ＳＲＳ＝４」の欄では、４ＲＢ毎にＳＲＳ帯域オフセット番号（ｊ＿ＳＲＳ）が「０」及至「１１」の範囲で設定される。ＳＲＳ帯域幅「Ｍ＿ＳＲＳ＝８」の欄では、８ＲＢ毎にＳＲＳ帯域オフセット番号（ｊ＿ＳＲＳ）が「０」及至「５」の範囲で設定される。ＳＲＳ帯域幅「Ｍ＿ＳＲＳ＝１２」の欄では、１２ＲＢ毎にＳＲＳ帯域オフセット番号（ｊ＿ＳＲＳ）が「０」及至「３」の範囲で設定される。ＳＲＳ帯域幅「Ｍ＿ＳＲＳ＝１６」の欄では、１６ＲＢ毎にＳＲＳ帯域オフセット番号（ｊ＿ＳＲＳ）が「０」及至「２」の範囲で設定される。ＳＲＳ帯域幅「Ｍ＿ＳＲＳ＝２４」の欄では、２４ＲＢ毎にＳＲＳ帯域オフセット番号（ｊ＿ＳＲＳ）が「０」又は「１」に設定される。ＳＲＳ帯域幅「Ｍ＿ＳＲＳ＝４８」の欄では、ＳＲＳ帯域オフセット番号（ｊ＿ＳＲＳ）として「０」のみが設定される。
【００４５】
サイクリックシフト番号（ｋ＿ｓ）は、サイクリックシフトの種類を識別する番号であり、本実施例では、２種類のサイクリックシフトに対応して「０」、「１」に設定される。
【００４６】
割当端末番号２１０は、ＳＲＳ送信リソースの組（即ち、ＳＲＳ帯域幅、ＳＲＳ送信タイミングオフセット、ＳＲＳ帯域オフセット、サイクリックシフト及びトランスミッションカム）を割り当てる移動端末４の端末番号である。
【００４７】
ＳＲＳ送信リソース割当部１５は、ＳＲＳ送信リソースの割当結果をＳＲＳ送信スケジューリングテーブル２００に格納する。また、ＳＲＳ送信リソース割当部１５は、ＳＲＳ送信スケジューリングテーブル２００に格納されたＳＲＳ送信リソースの割当結果（又は、ＳＲＳ送信リソース割当データ）をＳＲＳ送信リソース通知部３へ出力する。ＳＲＳ送信リソース割当データは、ＳＲＳ送信間隔（全移動端末４に共通である）と、移動端末４毎に割り当てたＳＲＳ送信リソースの組（即ち、ＳＲＳ帯域幅、ＳＲＳ送信タイミングオフセット、ＳＲＳ帯域オフセット、サイクリックシフト及びトランスミッションカム）に係る情報を有する。尚、ＳＲＳ送信リソースの組は「Ｍ＿ＳＲＳ，ｉ＿ＳＲＳ，ｊ＿ＳＲＳ，ｋ＿ｓ、ｋ＿ｃ」で特定される。
【００４８】
次に、図８、図９及び図１０に示すフローチャートを参照してＳＲＳ送信スケジューリング部２により実行されるＳＲＳ送信スケジューリング処理について説明する。
ＳＲＳ送信スケジューリング部２は、所定の契機でＳＲＳ送信スケジューリング処理を開始する。ＳＲＳ送信スケジューリング処理を開始する契機は、ＳＲＳ送信リソース割当の実行周期になった時点、及び基地局１が新たに移動端末４と通信を行った時点である。
【００４９】
ＳＲＳ送信スケジューリング処理が開始されると、入力情報取得部１１は入力情報を取得する（図８のステップＳ１）。入力情報取得部１１は、ＳＲＳ送信スケジューリング処理の開始契機がＳＲＳ送信リソース割当の実行周期であるか否かを判定する（ステップＳ２）。ＳＲＳ送信スケジューリング処理の開始契機がＳＲＳ送信リソース割当の実行周期であると判定された場合、入力情報取得部１１はＳＲＳ送信リソース割当部１５に対してＳＲＳ送信スケジューリングテーブル２００のリセットを指示する。これにより、ＳＲＳ送信リソース割当部１５はＳＲＳ送信スケジューリングテーブルの記憶内容を全てリセットする（ステップＳ３）。その後、ステップＳ４に進む。一方、ＳＲＳ送信スケジューリング処理の開始契機がＳＲＳ送信リソース割当の実行周期ではない場合（換言すれば、基地局１が新たに移動端末４との通信を開始した場合）、ＳＲＳ送信リソース割当部１５はＳＲＳ送信スケジューリングテーブル２００の記憶内容をリセットせず、ステップＳ２から直接ステップＳ４進む。
【００５０】
ステップＳ４では、入力情報取得部１１はＳＲＳ送信リソース割当対象の移動端末４が存在するか否かを判定する。ＳＲＳ送信リソース割当対象の移動端末４が存在する場合、ステップＳ６に進む。一方、ＳＲＳ送信リソース割当対象の移動端末４が存在しない場合、入力情報取得部１１はＳＲＳ送信リソース割当部１５に対してＳＲＳ送信リソース割当データを出力するよう指示する。これにより、ＳＲＳ送信リソース割当部１５はＳＲＳ送信スケジューリングテーブル２００の記憶内容に従ってＳＲＳ送信リソース割当データを作成して、ＳＲＳ送信リソース通知部３に出力する（ステップＳ５）。
【００５１】
ステップＳ６では、入力情報取得部１１はＳＲＳ送信リソース割当の優先順位に従ってＳＲＳ送信リソース割当対象である複数の移動端末４から、１つの移動端末４を選択する。
【００５２】
ステップＳ７において、入力情報取得部１１は最大ＳＲＳ帯域幅判定部１３に対して選択された移動端末４の最大送信可能電力を通知し、当該移動端末４に係るＳＲＳ帯域幅（Ｍ＿ＳＲＳ）の最大値を求めるよう指示する。最大ＳＲＳ帯域幅判定部１３は、選択された移動端末４の最大送信可能電力に基づいて当該移動端末４に係るＳＲＳ帯域幅の最大値を求める。移動端末４の送信電力には制限があるので、最大送信可能電力に基づいて移動端末４のＳＲＳ帯域幅（Ｍ＿ＳＲＳ）の最大値を判定することができる。最大ＳＲＳ帯域幅判定部１３は、選択された移動端末４に係るＳＲＳ帯域幅の最大値を使用可能ＳＲＳ帯域幅判定部１４に通知する。
【００５３】
ステップＳ８において、入力情報取得部１１は最小ＳＲＳ帯域幅判定部１２に対してＳＲＳ送信間隔（Ｔ＿ＳＲＳ）及び選択された移動端末４の移動速度を通知し、当該移動端末４に係るＳＲＳ帯域幅（Ｍ＿ＳＲＳ）の最小値を求めるよう指示する。最小ＳＲＳ帯域幅判定部１２は、ＳＲＳ送信間隔及び選択された移動端末４の移動速度に基づいて当該移動端末４に係るＳＲＳ帯域幅の最小値を求める。このとき、最小ＳＲＳ帯域幅判定部１２は許容移動速度判定テーブル１００を参照し、ＳＲＳ送信間隔において移動速度が許容されるＳＲＳ帯域幅の最小値を求める。最小ＳＲＳ帯域幅判定部１２は、選択された移動端末４に係るＳＲＳ帯域幅の最小値を使用可能ＳＲＳ帯域幅判定部１４に通知する。
【００５４】
ステップＳ９において、入力情報取得部１１は使用可能ＳＲＳ帯域幅判定部１４に対して選択可能なＳＲＳ帯域幅（Ｍ＿ＳＲＳ）の候補の組合せを通知し、選択された移動端末４にて使用可能なＳＲＳ帯域幅の範囲を設定するよう指示する。使用可能ＳＲＳ帯域幅判定部１４は、選択可能なＳＲＳ帯域幅の候補の組合せを勘案し、選択された移動端末４のＳＲＳ帯域幅の最小値及び最大値に基づいてＳＲＳ帯域幅の範囲を設定する。このＳＲＳ帯域幅の範囲を設定するためには以下の条件が成立する必要がある。
（Ａ）ＳＲＳ帯域幅の最小値≦最大値。
（Ｂ）ＳＲＳ帯域幅の最小値から最大値までの範囲内に選択可能なＳＲＳ帯域幅の候補が存在すること。
尚、ＳＲＳ帯域幅の最小値＞最大値の場合には、ＳＲＳ帯域幅の最大値を用いて割り当てるものとする。
【００５５】
ステップＳ１０において、使用可能ＳＲＳ帯域幅判定部１４が選択された移動端末４の使用可能なＳＲＳ帯域幅（Ｍ＿ＳＲＳ）の範囲を設定することができるか否かを判定する。使用可能なＳＲＳ帯域幅の範囲を設定することができる場合には、使用可能ＳＲＳ帯域幅判定部１４は選択された移動端末４に係るＳＲＳ帯域幅の最小値から最大値までの範囲に存在する使用可能なＳＲＳ帯域幅の候補の全てをＳＲＳ送信リソース割当部１５に通知する。このようにして通知された使用可能なＳＲＳ帯域幅の候補は、選択された移動端末４において使用可能であると見做される。また、使用可能ＳＲＳ帯域幅判定部１４は入力情報取得部１１に対して選択された移動端末４のＳＲＳ帯域幅の範囲を設定できる旨の通知を行なう。これにより、入力情報取得部１１はＳＲＳ送信リソース割当部１５に対して選択された移動端末４の端末番号を通知し、当該移動端末４に対するＳＲＳ送信リソース割当を指示する。その後、図９に示すステップＳ１２に進む。
【００５６】
一方、使用可能なＳＲＳ帯域幅（Ｍ＿ＳＲＳ）の範囲を設定できない場合、使用可能ＳＲＳ帯域幅判定部１４はその旨を入力情報取得部１１に通知する。これにより、入力情報取得部１１は選択された移動端末４をＳＲＳ送信リソース割当対象から除外する。その後、ステップＳ４に戻る。
【００５７】
図９のステップＳ１２において、ＳＲＳ送信リソース割当部１５は選択された移動端末４に係る使用可能なＳＲＳ帯域幅（Ｍ＿ＳＲＳ）を小さい方から大きい方に昇順で選択する。このように、使用可能なＳＲＳ帯域幅を昇順で選択することにより、出来るだけ小さいＳＲＳ帯域幅を選択することができ、以って、基地局１がＳＲＳ送信を実行する移動端末４の数を増やすことができる。
【００５８】
ステップＳ１３において、ＳＲＳ送信リソース割当部１５はステップＳ１２にて選択されたＳＲＳ帯域幅（Ｍ＿ＳＲＳ）に係る部分テーブルＴＢＬ（ｉ＿ＳＲＳ，ｋ＿ｃ）がＳＲＳ送信スケジューリングテーブル２００に登録されているか否かを検索する。具体的には、ＳＲＳ送信リソース割当部１５は選択されたＳＲＳ帯域幅を示すＳＲＳ送信設定情報Ｗ＿ＳＲＳ（ｉ＿ＳＲＳ，ｋ＿ｃ）に関連するＳＲＳ送信タイミングオフセット番号（ｉ＿ＳＲＳ）とトランスミッションカム番号（ｋ＿ｃ）の組（ｉ＿ＳＲＳ，ｋ＿ｃ）がＳＲＳ送信スケジューリングテーブル２００に登録されているか否かを調べる。このようにして、選択されたＳＲＳ帯域幅を示すＳＲＳ送信設定情報並びにＳＲＳ送信タイミングオフセット番号及びトランスミッションカム番号の組に関連する部分テーブルＴＢＬ（ｉ＿ＳＲＳ，ｋ＿ｃ）が選択される。
【００５９】
ステップＳ１４において、ＳＲＳ送信リソース割当部１５は選択されたＳＲＳ帯域幅（Ｍ＿ＳＲＳ）に係る部分テーブルＴＢＬ（ｉ＿ＳＲＳ，ｋ＿ｃ）がＳＲＳ送信スケジューリングテーブル２００に登録されているか否かを判定する。上記の部分テーブルＴＢＬ（ｉ＿ＳＲＳ，ｋ＿ｃ）がＳＲＳ送信スケジューリングテーブル２００に登録されている場合、ステップＳ１５に進む。一方、上記の部分テーブルＴＢＬ（ｉ＿ＳＲＳ，ｋ＿ｃ）がＳＲＳ送信スケジューリングテーブル２００に登録されていない場合には、ステップＳ１４から直接ステップＳ１７に進む。
【００６０】
ステップＳ１５において、ＳＲＳ送信リソース割当部１５は選択されたＳＲＳ帯域幅（Ｍ＿ＳＲＳ）に係る部分テーブルＴＢＬ（ｉ＿ＳＲＳ，ｋ＿ｃ）においてＳＲＳ送信リソース（ｊ＿ＳＲＳ，ｋ＿ｓ）（即ち、ＳＲＳ帯域オフセット番号ｊ＿ＳＲＳとサイクリックシフト番号ｋ＿ｓの組合せ：図６参照）の空きを検索する。ステップＳ１６では、ＳＲＳ送信リソース割当部１５は選択されたＳＲＳ帯域幅に係る部分テーブルＴＢＬ（ｉ＿ＳＲＳ，ｋ＿ｃ）においてＳＲＳ送信リソースの空きがあるか否かを判定する。選択された全てのＳＲＳ帯域幅に係る部分テーブルＴＢＬ（ｉ＿ＳＲＳ，ｋ＿ｃ）においてＳＲＳ送信リソースの空きが無い場合には、ステップＳ１７に進む。一方、少なくとも１つの選択ＳＲＳ帯域幅に係る部分テーブルＴＢＬ（ｉ＿ＳＲＳ，ｋ＿ｃ）においてＳＲＳ送信リソースの空きが存在する場合には、ステップＳ１８に進む。
【００６１】
ステップＳ１７において、ＳＲＳ送信リソース割当部１５が選択された移動端末４の使用可能なＳＲＳ帯域幅（Ｍ＿ＳＲＳ）の全てについて選択したか否かを判定する。ＳＲＳ送信リソース割当部１５が全ての使用可能なＳＲＳ帯域幅を選択していた場合、図１０に示すステップＳ２０に進む。一方、使用可能なＳＲＳ帯域幅の中に未選択のものが存在する場合、ステップＳ１２に戻る。
【００６２】
ステップＳ１８において、ＳＲＳ送信リソース割当部１５はＳＲＳ送信リソース（ｊ＿ＳＲＳ，ｋ＿ｓ）の空き残数が最小である部分テーブルＴＢＬ（ｉ＿ＳＲＳ，ｋ＿ｃ）において、ＳＲＳ帯域オフセット番号（ｊ＿ＳＲＳ）が最小、かつ、サイクリックシフト番号（ｋ＿ｓ）が最小であるＳＲＳ送信リソース（ｊ＿ＳＲＳ，ｋ＿ｓ）を選択する。これにより、未使用の部分テーブルＴＢＬ（ｉ＿ＳＲＳ，ｋ＿ｃ）や使用数（ｋ＿ｓ）がゼロのＳＲＳ帯域オフセット番号（ｊ＿ＳＲＳ）を増やすことにより、広い帯域幅のＳＲＳ送信リソースを新たに割り当てやすくなる。また、サイクリックシフト間の干渉を軽減するために、ステップＳ１８においてＳＲＳ送信リソース割当部１５はＳＲＳ送信リソース（ｊ＿ＳＲＳ，ｋ＿ｓ）の空き残数が最大である部分テーブルＴＢＬ（ｉ＿ＳＲＳ，ｋ＿ｃ）において、ＳＲＳ帯域オフセット番号（ｊ＿ＳＲＳ）が最小、かつ、サイクリックシフト番号（ｋ＿ｓ）が最小であるＳＲＳ送信リソース（ｊ＿ＳＲＳ，ｋ＿ｓ）を選択するようにしてもよい。
【００６３】
ステップＳ１９において、ＳＲＳ送信リソース割当部１５はステップＳ１８で選択した部分テーブルＴＢＬ（ｉ＿ＳＲＳ，ｋ＿ｃ）におけるＳＲＳ送信リソース（ｊ＿ＳＲＳ，ｋ＿ｓ）の欄に選択された移動端末４の端末番号を割当端末番号２１０として格納する。このようにして、ＳＲＳ送信リソース割当部１５はＳＲＳ送信リソース割当データ（即ち、選択Ｍ＿ＳＲＳ、ｉ＿ＳＲＳ、ｊ＿ＳＲＳ、ｋ＿ｓ及びｋ＿ｃ）を選択された移動端末４に対して割り当てる。その後、図８に示すステップＳ４に戻る。
【００６４】
選択された移動端末４に係る使用可能なＳＲＳ帯域幅（Ｍ＿ＳＲＳ）のいずれに対しても部分テーブルＴＢＬ（ｉ＿ＳＲＳ，ｋ＿ｃ）が割り当てられていない場合、図１０に示すステップＳ２０に進む。この場合、選択された移動端末４に対して使用可能な最小のＳＲＳ帯域幅に係る部分テーブルＴＢＬを設ける必要がある。ステップＳ２０において、ＳＲＳ送信リソース割当部１５は選択された移動端末４に対して使用可能な最小のＳＲＳ帯域幅（Ｍ＿ＳＲＳ）を選択する。
【００６５】
ステップＳ２１において、ＳＲＳ送信リソース割当部１５はＳＲＳ送信スケジューリングテーブル２００に未使用の部分テーブルＴＢＬ（ｉ＿ＳＲＳ，ｋ＿ｃ）が存在するか否か検索する。具体的には、ＳＲＳ送信リソース割当部１５はＳＲＳ送信スケジューリングテーブル２００を検索して、ＳＲＳ帯域幅設定情報Ｗ＿ＳＷＳ（ｉ＿ＳＲＳ，ｋ＿ｃ）が空であるようなＳＲＳ送信タイミングオフセット番号（ｉ＿ＳＲＳ）とトランスミッションカム番号（ｋ＿ｃ）の組（ｉ＿ＳＲＳ，ｋ＿ｃ）が存在するか否か調べる。上記のようなＳＲＳ帯域幅設定情報が空であるようなＳＲＳ送信タイミングオフセット番号とトランスミッションカム番号の組に係る部分テーブルは未使用の部分テーブルと見做される。
【００６６】
ステップＳ２２において、ＳＲＳ送信リソース割当部１５は未使用の部分テーブルＴＢＬ（ｉ＿ＳＲＳ，ｋ＿ｃ）が存在するか否か判定する。未使用の部分テーブルが存在する場合、ステップＳ２３に進む。一方、未使用の部分テーブルが存在しない場合には、図８に示すステップＳ１１に進む。
【００６７】
ステップＳ２３において、ＳＲＳ送信リソース割当部１５はトランスミッションカム番号（ｋ＿ｃ）が最小であり、かつ、ＳＲＳ送信タイミングオフセット番号（ｉ＿ＳＲＳ）が最小である未使用の部分テーブルＴＢＬ（ｉ＿ＳＲＳ，ｋ＿ｃ）において、ＳＲＳ送信リソース（ｊ＿ＳＲＳ，ｋ＿ｓ）＝（０，０）（即ち、ＳＲＳ帯域オフセット番号ｊ＿ＳＲＳとサイクリックシフト番号ｋ＿ｓの組み合わせにおいて、両者がゼロとなるもの）を選択する。これにより、出来る限り多くの未使用のトランスミッションカムを残すようにする。未使用のトランスミッションカムは、ＳＲＳ以外のデータ転送に使用する可能性があるため、未使用のトランスミッションカムを残すことにより無線リソースを有効利用することができる。
【００６８】
ステップＳ２４において、ＳＲＳ送信リソース割当部１５はステップＳ２３で選択した未使用の部分テーブルＴＢＬ（ｉ＿ＳＲＳ，ｋ＿ｃ）内のＳＲＳ送信リソース（ｊ＿ＳＲＳ，ｋ＿ｓ）＝（０，０）の欄に選択された移動端末４の端末番号を割当端末番号２１０として格納する。また、ＳＲＳ送信リソース割当部１５は、未使用の部分テーブルＴＢＬに係るＳＲＳ帯域幅設定情報Ｗ＿ＳＲＳ（ｉ＿ＳＲＳ，ｋ＿ｃ）について最小ＳＲＳ帯域幅Ｍ＿ＳＲＳを設定する。これにより、未使用の部分テーブルは選択された移動端末４の最小ＳＲＳ帯域幅とリンクされる。最小ＳＲＳ帯域幅に係る部分テーブル内のＳＲＳ送信リソース（ｊ＿ＳＲＳ，ｋ＿ｓ）＝（０，０）に基づき、ＳＲＳ送信リソース割当部１５はＳＲＳ送信リソース割当データ（即ち、最小Ｍ＿ＳＲＳ、ｉ＿ＳＲＳ、ｊ＿ＳＲＳ＝０、ｋ＿ｓ＝０、ｋ＿ｃ）を選択された移動端末４に対して割り当てる。その後、ステップＳ４に戻る。
【００６９】
上述したように、本実施例は移動端末４の最大送信可能電力に基づいたＳＲＳ帯域幅の最大値と、移動端末４の移動速度に基づいたＳＲＳ帯域幅の最小値に基づいてＳＲＳ帯域幅の範囲を確定する。これにより、移動端末４の置かれた状況を考慮したＳＲＳ送信リソースの割当が可能となる。
【００７０】
本実施例では、ＳＲＳ帯域幅の最小値及び最大値に基づいてＳＲＳ帯域幅の範囲を確定できる場合にのみ、移動端末４にＳＲＳ送信リソースを割り当てるため、ＳＲＳ送信リソースの有効利用を図ることができる。
【００７１】
また、本実施例ではＳＲＳ帯域幅の最小値及び最大値に基づいて確定されるＳＲＳ帯域幅の範囲の中から、昇順で移動端末４のＳＲＳ帯域幅を選択しているため、出来る限り小さいＳＲＳ帯域幅を採用することが可能となる。これにより、ＳＲＳ送信対象の移動端末４の数を増やすことができる。
【００７２】
更に、本実施例では同一ＳＲＳ送信リソースの残余が最小となる組み合わせを選択することにより、出来る限り多くの未使用ＳＲＳ送信リソース（即ち、サイクリックシフト及びトランスミッションカム）を残すことが可能となる。未使用のＳＲＳ送信リソースを増やすことにより、広い帯域幅のＳＲＳ送信リソースを新たに割り当てやすくなる。
【００７３】
図１１は、図３に示すＳＲＳ送信スケジューリング部２の変形例を示すブロック図である。図３の構成に比べて、図１１の構成ではＳＲＳ送信間隔判定部２０を追加し、ＳＲＳ送信間隔を自動設定することができるようにした。図１２は、ＳＲＳ送信間隔判定処理を示すフローチャートである。
【００７４】
入力情報取得部１１は、所定の契機でＳＲＳ送信スケジューリング処理が開始されると、ＳＲＳ送信間隔判定部２０に対してＳＲＳ送信間隔を求めるよう指示する。図１２のステップＳ５１において、ＳＲＳ送信間隔判定部２０はＳＲＳ送信間隔Ｔ＿ＳＲＳの８種類の候補「２ｍｓ、５ｍｓ、１０ｍｓ、２０ｍｓ、４０ｍｓ、８０ｍｓ、１６０ｍｓ、３２０ｍｓ」の中で小さい方から大きい方に昇順で選択する。
【００７５】
ステップＳ５２において、ＳＲＳ送信間隔判定部２０は選択したＳＲＳ送信間隔Ｔ＿ＳＲＳについて移動速度閾値と端末数閾値を取得する。即ち、ＳＲＳ送信間隔判定部２０はＳＲＳ送信間隔Ｔ＿ＳＲＳの８種類の候補に対応する８種類の移動速度閾値及び端末数閾値を有することとなる。
【００７６】
ステップＳ５３において、ＳＲＳ送信間隔判定部２０は入力情報取得部１１から移動速度が移動速度閾値未満の移動端末４の数（即ち、「端末数」）を取得する。ステップＳ５４において、ＳＲＳ送信間隔判定部２０は「端末数＞端末数閾値」であるか否かを判定する。この判定式が成立する場合、ステップＳ５５に進み、判定式不成立の場合には、ステップＳ５６に進む。
【００７７】
ステップＳ５５において、ＳＲＳ送信間隔判定部２０が全てのＳＲＳ送信間隔Ｔ＿ＳＲＳを選択したか否か判定する。ＳＲＳ送信間隔判定部２０が全てのＳＲＳ送信間隔を選択した場合、ステップＳ５６に進み、未選択のＳＲＳ送信間隔が存在する場合には、ステップＳ５１に戻る。ステップＳ５６において、ＳＲＳ送信間隔判定部２０は選択したＳＲＳ送信間隔Ｔ＿ＳＲＳを入力情報取得部１１に通知する。
【００７８】
図１３は、図１２に示すＳＲＳ送信間隔判定処理の変形例を示すフローチャートである。
図１３のステップＳ６１において、ＳＲＳ送信間隔判定部２０はＳＲＳ送信間隔Ｔ＿ＳＲＳの８種類の候補「２ｍｓ、５ｍｓ、１０ｍｓ、２０ｍｓ、４０ｍｓ、８０ｍｓ、１６０ｍｓ、３２０ｍｓ」の中で小さい方から大きい方に昇順で選択する。
【００７９】
ステップＳ６２において、ＳＲＳ送信間隔判定部２０は選択したＳＲＳ送信間隔Ｔ＿ＳＲＳについて移動速度閾値と端末数閾値を取得する。即ち、ＳＲＳ送信間隔判定部２０はＳＲＳ送信間隔Ｔ＿ＳＲＳの８種類の候補に対応する８種類の移動速度閾値及び端末数閾値を有することとなる。
【００８０】
ステップＳ６３において、ＳＲＳ送信間隔判定部２０は入力情報取得部１１から移動速度が移動速度閾値未満の移動端末４の数（即ち、「端末数」）とその割合（即ち、「端末割合」）を取得する。ステップＳ６４において、ＳＲＳ送信間隔判定部２０は「端末数＞端末数閾値」且つ「端末割合≧端末割合閾値」であるか否かを判定する。この判定式が成立する場合、ステップＳ６５に進み、判定式不成立の場合には、ステップＳ６６に進む。
【００８１】
ステップＳ６５において、ＳＲＳ送信間隔判定部２０が全てのＳＲＳ送信間隔Ｔ＿ＳＲＳを選択したか否か判定する。ＳＲＳ送信間隔判定部２０が全てのＳＲＳ送信間隔を選択した場合、ステップＳ６６に進み、未選択のＳＲＳ送信間隔が存在する場合には、ステップＳ６１に戻る。ステップＳ６６において、ＳＲＳ送信間隔判定部２０は選択したＳＲＳ送信間隔Ｔ＿ＳＲＳを入力情報取得部１１に通知する。
【００８２】
上記のようにＳＲＳ送信スケジューリング部２にＳＲＳ送信間隔判定部２０を組み込んでＳＲＳ送信間隔判定処理を実行するようにした場合、ＳＲＳ送信リソース割当の際、移動端末４の置かれた状況を考慮してＳＲＳ送信間隔を自動的に決定することができる。これにより、基地局１のオペレータの負担を軽減することができる。
【００８３】
図８、図９、図１０、図１２及び図１３に示すフローチャートの処理内容を実現するためのプログラムをコンピュータ読み取り可能な記録媒体に記録するようにしてもよい。即ち、この記録媒体に記録されたプログラムをコンピュータシステムに読み込ませて実行することにより、本実施例に係るＳＲＳ送信スケジューリング処理及びＳＲＳ送信間隔判定処理を実行するようにしてもよい。尚、「コンピュータシステム」とはオペレーティングシステム（ＯＳ）等のソフトウェア、周辺機器等のハードウェアを含むものであってもよい。
【００８４】
「コンピュータ読み取り可能な記録媒体」として、フレキシブルディスク、光磁気ディスク、ＲＯＭ、フラッシュメモリ等の書き込み可能な不揮発メモリ、ＤＶＤ（Ｄｉｇｉｔａｌ  Ｖｅｒｓａｔｉｌｅ  Ｄｉｓｋ）等の可搬記録媒体、並びにコンピュータに内臓されるハードディスク等の記憶装置が挙げられる。また、「コンピュータ読み取り可能な記録媒体」として、インターネット等のネットワーク、電話回線及び通信回線を介してプログラムが送信されたサーバやクライアントとなるコンピュータシステムの揮発性メモリ（例えば、ＤＲＡＭ（Ｄｙｎａｍｉｃ  Ｒａｎｄｏｍ  Ａｃｃｅｓｓ  Ｍｅｍｏｒｙ））のように一定時間プログラムを保持するものも含まれる。
【００８５】
また、上記のプログラムを記憶装置等に格納したコンピュータシステムから伝送媒体や伝送波を介して他のコンピュータシステムに送信するようにしてもよい。尚、プログラムを伝送する「伝送媒体」とはインターネット等のネットワーク、電話回線及び通信回線のように情報伝送機能を有する媒体のことをいう。
【００８６】
上記のプログラムはＳＲＳ送信スケジューリング処理やＳＲＳ送信間隔判定処理を完全に再現する必要はなく、その一部の機能を実現するものであってもよい。また、コンピュータシステムに既に記録されているプログラムと組み合わせて本実施例の処理内容を実現するような差分ファイル（或いは、差分プログラム）を記録媒体に記録したり伝送媒体を介して送信するようにしてもよい。
【００８７】
尚、本発明は上記の実施例及び変形例に限定されるものではなく、添付した特許請求の範囲で定義される発明の範囲に包含されるような各種の変更も含まれる。
【産業上の利用可能性】
【００８８】
本発明は、ＯＦＤＭＡ方式の無線通信システムにおいて移動端末の置かれた状況を考慮して動的にＳＲＳ送信リソースを移動端末に割り当てることができるものであり、基地局におけるＳＲＳ送信スケジューリング機能として最適に適用しうるものである。
【符号の説明】
【００８９】
１    基地局
２    ＳＲＳ送信スケジューリング部
３    ＳＲＳ送信リソース通知部
４    移動端末
１１  入力情報取得部
１２  最小ＳＲＳ帯域幅判定部
１３  最大ＳＲＳ帯域幅判定部
１４  使用可能ＳＲＳ帯域幅判定部
１５  ＳＲＳ送信リソース割当部
２０  ＳＲＳ送信間隔判定部
１００  許容移動速度判定テーブル
２００  ＳＲＳ送信スケジューリングテーブル
【図１】
2010146824.tif 000003
【図２】
2010146824.tif 000004
【図３】
2010146824.tif 000005
【図４】
2010146824.tif 000006
【図５】
2010146824.tif 000007
【図６】
2010146824.tif 000008
【図７】
2010146824.tif 000009
【図８】
2010146824.tif 000010
【図９】
2010146824.tif 000011
【図１０】
2010146824.tif 000012
【図１１】
2010146824.tif 000013
【図１２】
2010146824.tif 000014
【図１３】
2010146824.tif 000015
【国際調査報告】
2010146824.tif 000016
2010146824.tif 000017